(57)【特許請求の範囲】
【請求項１】
送風ファンと、送風ファンの出口に接続された送風経路と、この送風経路内にイオン発生装置を備え、当該イオン発生装置が発生したイオンを前記送風ファンによって吹出口から送出するイオン発生機能付き送風装置において、
前記イオン発生装置は、所定間隔離間して設置される複数のイオン発生部を有し、この複数のイオン発生部の並び方向を前記送風経路の流通方向に交差する方向とし、イオン発生部間を流通する風量を抑制する風向変更装置を設置し、
前記風向変更装置は、前記イオン発生部間の風上側に設置し、底面を多角形形状とする角柱部材であって、前記風向変更装置の流通方向に直交する方向の幅を、前記イオン発生部間の間隔程度の幅としたことを特徴とするイオン発生機能付き送風装置。
【請求項２】
前記多角形は三角形であり、前記風向変更装置は、底面が三角形の三角柱形状であって、底面三角形の頂点を風上側に向け、底面三角形の底辺を風下側に向けて、当該底辺を前記イオン発生部間に対応した部位に設置したことを特徴とする請求項１に記載のイオン発生機能付き送風装置。
【請求項３】
送風ファンと、送風ファンの出口に接続された送風経路と、この送風経路内にイオン発生装置を備え、当該イオン発生装置が発生したイオンを前記送風ファンによって吹出口から送出するイオン発生機能付き送風装置において、
前記イオン発生装置は、所定間隔離間して設置される複数のイオン発生部を有し、この複数のイオン発生部の並び方向を前記送風経路の流通方向に交差する方向とし、イオン発生部間を流通する風量を抑制する風向変更装置を設置し、
前記風向変更装置は、前記イオン発生部間の風上側に設置し、底面を多角形形状とする角柱部材であって、
前記風向変更装置は、前記角柱部材を複数備え、当該角柱部材の流通方向に直交する方向の幅を、前記イオン発生部間の間隔の１／２程度の幅としたことを特徴とするイオン発生機能付き送風装置。
【請求項４】
前記複数の角柱部材を、流通方向の前後に互い違いに設置したことを特徴とする請求項３に記載のイオン発生機能付き送風装置。
【請求項５】
前記送風ファンはシロッコファンであり、前記送風経路は流通方向に直交する方向に前記シロッコファンの吹出口の幅よりも拡大されていることを特徴とする請求項１から４のいずれかに記載のイオン発生機能付き送風装置。
【発明の詳細な説明】
【技術分野】
【０００１】
本発明は、イオンを空間に放出するイオン発生装置を備えた送風装置に関し、特に、生成したイオンを効率よく拡散できる送風構造のイオン発生機能付き送風装置に関する。
【背景技術】
【０００２】
近年、空気中に発生させたプラスイオン（正イオン）とマイナスイオン（負イオン）によって空気中に浮遊する細菌を殺菌しウィルスを不活化して、空気を清浄する作用が見出され、この技術を応用した空気清浄機などの製品が注目を集めている。
【０００３】
例えば、大気中におけるコロナ放電によって、空気中に正イオンであるＨ+（Ｈ2Ｏ）m（ｍは任意の自然数）と、負イオンであるＯ2-（Ｈ2Ｏ）n（ｎは任意の自然数）を同等量発生させて放出することにより、両イオンが空気中の浮遊カビ菌やウィルスの周りを取り囲んで付着し、その際に反応生成される活性種の水酸基ラジカル（・ＯＨ）の作用により、前記浮遊カビ菌等を不活化することを可能とする研究開発がなされている。
【０００４】
例えば、本出願人からも、プラスイオンとマイナスイオンを安定して発生させることが可能なイオン発生素子やイオン発生装置などが既に出願されている（特許文献１、特許文献２、特許文献３参照）。
【０００５】
このようなイオン発生装置において、正負のイオンをバランスよく室内に送出することが求められる。そのためには、送風経路内に設置したイオン発生装置のイオン発生部に均等に気流が当たることが不可欠であるが、機器のデザイン面や大きさの面からの制限のために、理想的な配置ができない場合が生じる。そのような場合には、送風機下流の送風経路内に気流ガイドを設けて気流を導くことが一般的である。
【先行技術文献】
【特許文献】
【０００６】
【特許文献１】特開２００３−４７６５１号公報
【特許文献２】特開２００２−３１９４７２号公報
【特許文献３】特開２０１０−５５９６０号公報
【発明の概要】
【発明が解決しようとする課題】
【０００７】
しかし、空気中に浮遊する細菌を殺菌しウィルスを不活化する所定の除菌効果と、空気を清浄する所定の効果を得るためには、所定のイオン濃度が必要であることが既に知られている。そのために、ただ単に、送風通路内にイオン発生装置を取り付けるだけでは、また、単に、送風経路内の気流を安定させるだけでは、送風経路内を流通する気流全体に一様に安定して所定濃度のイオンを供給することは困難であって、十分な除菌効果と空気清浄効果を得ることができない。
【０００８】
また、プラスイオンとマイナスイオンの両イオンを用いる場合には、それぞれのイオンを同時に、所定濃度で供給することが肝要であって、イオン発生装置のイオン発生面で発生させたイオンを、速やかに大量の空気流れに供給するとともに、供給された両イオン同士が衝突や中和等によりイオン濃度が低下しないようにして安定して搬送することが望まれる。
【０００９】
特に、送風機下流に送風機の吹出口よりも流路断面の大きい送風経路を設ける構造の場合、送風機から送出した気流が送風経路内に十分に拡大せず、片寄って流通してしまうという現象が発生する。さらに、イオン発生装置を送風経路内に設けて、流通する気流によって発生したイオンを機外に送出するイオン発生機においては、イオン発生部分で発生したイオンが十分に機外に送出されないといった不具合が生じる。
【００１０】
そのために、送風機下流に送風機の吹出口よりも流路断面の大きい送風経路を設ける場合であっても、イオン発生部分で発生した正負の両イオンを十分に、また、均一に含んだ気流を流通させることが望ましく、発生したイオンを効率よく拡散できる送風構造のイオン発生機能付き送風装置であることが望まれる。
【００１１】
そこで本発明は、上記問題点に鑑み、イオン発生部で発生したイオンを均一に供給し、効率よく拡散可能な送風構造を有するイオン発生機能付き送風装置を提供することを目的とする。
【課題を解決するための手段】
【００１２】
上記目的を達成するために本発明は、送風ファンと、送風ファンの出口に接続された送風経路と、この送風経路内にイオン発生装置を備え、当該イオン発生装置が発生したイオンを前記送風ファンによって吹出口から送出するイオン発生機能付き送風装置において、前記イオン発生装置は、所定間隔離間して設置される複数のイオン発生部を有し、この複数のイオン発生部の並び方向を前記送風経路の流通方向に交差する方向とし、イオン発生部間を流通する風量を抑制する風向変更装置を設置したことを特徴としている。
【００１３】
この構成によると、イオン発生装置のイオン発生部間の空間を無駄に通過する風量を減らすことにより、イオン発生部を直接通る風量を増やすことができ、発生したイオンを効率よく取り込むことが可能となる。すなわち、イオン発生部で発生したイオンを流通する気流に均一に供給し、効率よく拡散可能な送風構造を有するイオン発生機能付き送風装置を得ることができる。
【００１４】
また本発明は上記構成のイオン発生機能付き送風装置において、前記風向変更装置は、前記イオン発生部間の風上側に設置し、底面を多角形形状とする角柱部材を備えることを特徴としている。この構成によると、イオン発生部間の上流側に角柱部材を設置することにより、イオン発生部間を無駄に流通する風量を抑制して、イオン発生部を直接通る風量を増やすことができる。
【００１５】
また本発明は上記構成のイオン発生機能付き送風装置において、前記多角形は三角形であり、前記風向変更装置は、底面が三角形の三角柱形状であって、底面三角形の頂点を風上側に向け、底面三角形の底辺を風下側に向けて、当該底辺を前記イオン発生部間に対応した部位に設置したことを特徴としている。この構成によると、底面が三角形の三角形柱状からなる風向変更装置を介して、イオン発生部間を無駄に流通する風量を効果的に抑制することができる。
【００１６】
また本発明は上記構成のイオン発生機能付き送風装置において、前記風向変更装置の流通方向に直交する方向の幅を、前記イオン発生部間の間隔程度の幅としたことを特徴としている。この構成によると、イオン発生部間を無駄に流通する風量を極力抑制することができる。
【００１７】
また本発明は上記構成のイオン発生機能付き送風装置において、前記風向変更装置は、前記角柱部材を複数備え、当該角柱部材の流通方向に直交する方向の幅を、前記イオン発生部間の間隔の１／２程度の幅としたことを特徴としている。この構成によると、イオン発生装置が複数のイオン発生部を備えた構成であっても、複数のイオン発生部間に対応してそれぞれイオン発生部間を流通する風量を抑制する角柱部材を配設することで、複数のイオン発生部間を無駄に流通する風量を抑制することができる。
【００１８】
また本発明は上記構成のイオン発生機能付き送風装置において、前記複数の角柱部材を、流通方向の前後に互い違いに設置したことを特徴としている。この構成によると、角柱部材を互い違いに設置することにより、送風経路を流通する空気流れの抵抗を極力抑制して、所定の風量を確保することが可能となる。
【００１９】
また本発明は上記構成のイオン発生機能付き送風装置において、前記送風ファンはシロッコファンであり、前記送風経路は流通方向に直交する方向に前記シロッコファンの吹出口の幅よりも拡大されていることを特徴としている。この構成によると、シロッコファンの吹出口の幅よりも拡大した送風経路に効率よく正負のイオンを送出することが可能となる。
【発明の効果】
【００２０】
本発明によれば、送風経路の後方に設置したイオン発生装置のイオン発生部間の空間を無駄に通過する風量を減らすことによって、イオン発生部を直接通る風量を増やすことができ、発生した正負のイオンを効率よく取り込むことが可能になる。そのために、イオン発生部で発生したイオンを均一に供給し、効率よく拡散可能な送風構造を有するイオン発生機能付き送風装置を得ることができて、イオン発生機能付き送風装置の吹出口から送出されるイオン濃度が高くなり、空間に効率よく正負のイオンを拡散させることができる。この結果、浮遊カビ菌や細菌の殺菌、ウィルスやアレルゲンの不活性化、空間や物品の除電効果を得ることができる。
【図面の簡単な説明】
【００２１】
【図１】本発明に係るイオン発生機能付き送風装置の外観斜視図である。
【図２】図１の送風装置が備えるイオン発生装置の外観斜視図である。
【図３】図１の送風装置の内部構造を示す概略説明図である。
【図４】図３のＡ−Ａ断面図である。
【図５】第一実施形態のイオン発生機能付き送風装置の気流の流通状態を示す概略説明図である。
【図６】図５に示す風向変更装置の設置状態を示す概略説明図である。
【図７】風向変更装置がない場合の気流の流通状態を示す概略説明図である。
【図８】第二実施形態のイオン発生機能付き送風装置の気流の流通状態を示す概略説明図である。
【図９】第三実施形態のイオン発生機能付き送風装置の内部構造を示す概略説明図である。
【図１０】図９のＢ−Ｂ断面図である。
【図１１】第三実施形態のイオン発生機能付き送風装置の気流の流通状態を示す概略説明図である。
【発明を実施するための形態】
【００２２】
以下に本発明の実施形態を図面を参照して説明する。また、同一構成部材については同一の符号を用い、詳細な説明は適宜省略する。まず本実施形態に係るイオン発生機能付き送風装置の一例について、図１および図２を用いて説明する。
【００２３】
図１は、本発明に係るイオン発生機能付き送風装置の外観斜視図であり、図２は、図１の送風装置が備えるイオン発生装置の外観斜視図である。図１に示すように、本実施形態に係るイオン発生機能付き送風装置Ｍ１は、送風ファンとイオン発生装置５を内蔵する装置全体を覆うケース４と、吸込口１と吹出口２を備えている。また、側面部に操作部３を設けており、運転スイッチ等のスイッチと運転状態を表示する表示部を備える。
【００２４】
イオン発生装置５は、装置本体に対して着脱自在な構成とされており、ケース４の切欠き部からその表面の一部が露出している。また、後述するように、本体の背面側には、送風ファンや制御装置などの取付部や、イオン発生装置５を着脱するためのガイドなどが形成された背面カバー８（図４参照）を備えている。
【００２５】
本実施形態に係るイオン発生装置５は、図２に示すように、正イオン発生部５１ａ、５２ａと、負イオン発生部５１ｂ、５２ｂとの複数のイオン発生部を備え、吸込口１から吸い込んだ空気に発生したイオンを含ませて、吹出口２から正負のイオンを空間に放出する。
【００２６】
イオン発生装置５は、例えば、同量のプラスイオンとマイナスイオンを生成するイオン発生装置であって、正イオン発生部と負イオン発生部となる電極をそれぞれ備える。この電極には交流波形またはインパルス波形から成る電圧が印加される。電極の印加電圧が正電圧の場合はイオンが空気中の水分と結合して主としてＨ+（Ｈ2Ｏ）ｍから成るプラスイオンを発生する。電極の印加電圧が負電圧の場合はイオンが空気中の水分と結合して主としてＯ2-（Ｈ2Ｏ）ｎから成るマイナスイオンを発生する。ここで、ｍ、ｎは任意の自然数である。Ｈ+（Ｈ2Ｏ）ｍ及びＯ2-（Ｈ2Ｏ）ｎは空気中の浮遊菌や臭い成分の表面で凝集してこれらを取り囲む。
【００２７】
そして、式（１）〜（３）に示すように、衝突により活性種である［・ＯＨ］（水酸基ラジカル）やＨ2Ｏ2（過酸化水素）を微生物等の表面上で凝集生成して浮遊菌や臭い成分を破壊する。ここで、ｍ’、ｎ’は任意の自然数である。従って、プラスイオン及びマイナスイオンを発生して吐出口から吐出することにより各空間の殺菌及び臭い除去を行うことができる。
【００２８】
Ｈ+(Ｈ2Ｏ)ｍ＋Ｏ2-(Ｈ2Ｏ)ｎ→・ＯＨ＋1/2Ｏ2＋(ｍ＋ｎ)Ｈ2Ｏ  ・・・（１）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ 2・ＯＨ＋Ｏ2＋(ｍ＋ｍ'＋ｎ＋ｎ')Ｈ2Ｏ ・・・（２）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ Ｈ2Ｏ2＋Ｏ2＋(ｍ＋ｍ'＋ｎ＋ｎ')Ｈ2Ｏ ・・・（３）
【００２９】
本実施形態に係るイオン発生装置５は、高圧発生回路等の制御部を収納する本体部５０ａ、制御回路から高圧電気を印加されて正または負イオンを発生するイオン発生部５１ａ、５１ｂ、５２ａ、５２ｂ、これらのイオン発生部５１ａ、５１ｂ、５２ａ、５２ｂを損傷から守り、ユーザー等が指先を怪我することを防止するガード５０ｂ、および、イオン発生装置５に電力を供給するとともに動作情報やＩＤ等の情報データを装置本体の制御装置と交換する端子部５０ｃを備える。
【００３０】
イオン発生部は、正イオン発生部が５１ａ、５２ａの二か所、負イオン発生部が５１ｂ、５２ｂの二か所設けられており、各々略同量の正イオンまたは負イオンを発生している。イオン発生部で発生したイオンは、このイオン発生部を通過する気流によって機外に送出される。従って、正負のイオンを同等量で送出するためには、各々のイオン発生部を通過する気流も同等であることが要求される。
【００３１】
次に、図３、図４を用いて装置本体内部の気流状態について説明する。図３は、送風装置の内部構造を示す概略説明図であり、図４は、図３のＡ−Ａ断面図である。また、本実施形態では、送風ファンとしてシロッコファン６を用いている。シロッコファン６は、ファン６ｂと、この外側に気流をガイドするケーシング６ａを備えている。ケーシング６ａには、渦巻き部６０ａ、のど部６０ｂ、吹出口の一方端６０ｃ、直線部６０ｄ、吹出口の他方端６０ｅが設けられている。
【００３２】
図３に示すように、シロッコファン６から送出される風は、拡幅された送風経路７ａを介してイオン発生装置５のイオン発生部に供給される。すなわち、シロッコファン６のファン６ｂの回転軸に垂直な面内で拡幅している送風経路７ａと、拡幅された送風経路７ｂとを備え、この拡幅された送風経路７ｂに、気流の流通方向と直交する方向に所定間隔離れて複数のイオン発生部を配設するようにしてイオン発生装置５が設置されている。
【００３３】
イオン発生装置５は、図４に示すように、ガード５０ｂが背面カバー８側に位置するように（図２に示すイオン発生装置５の上下を逆にした状態に）配置され、送風装置Ｍ１の正面側に配置された吸込口１から空気流れＦＬ１として取り込まれた気流は、イオン発生装置５の本体部５０ａの面と背面カバー８との間に形成された送風経路７ａ、７ｂを通りイオン発生部を通過して、正負のイオンを含んだ状態で正面側に設けられた吹出口２から空気流れＦＬ２として送出される。
【００３４】
イオン発生装置５から発生するイオンは、正イオンがＨ+（Ｈ2Ｏ）m（ｍは任意の自然数）、負イオンがＯ2-（Ｈ2Ｏ）n（ｎは任意の自然数）となるように構成されており、両社のイオンは空気中に送出されることによって、空気中の浮遊細菌やウィルスに付着し、その際に起こる反応によって水酸基ラジカル（・ＯＨ）を生じ、その活性によって殺菌もしくは不活化する。
【００３５】
図３に見るように、イオン発生装置５のイオン発生部の並び方向の寸法に比べて、シロッコファン６の吹出口寸法が小さく、シロッコファン６が吹出した気流を、イオン発生部５１ａ、５１ｂ、５２ａ、５２ｂを包括する幅まで拡大する構造となっている。
【００３６】
次に、図５および図６を用いて第一実施形態のイオン発生機能付き送風装置Ｍ１Ａについて説明する。図５は、第一実施形態のイオン発生機能付き送風装置の気流の流通状態を示す概略説明図であり、図６は、図５に示す風向変更装置の設置状態を示す概略説明図である。
【００３７】
シロッコファン６のケーシング６ａののど部６０ｂは、渦巻き部６０ａの始点となる部分で、ファン６ｂとの間隔が最も狭く、ファン６ｂの円周方向に沿って移動する気流を堰き止め、吹出口に向かわせる働きをする。渦巻き部６０ａはファン６ｂによって送り込まれてくる空気を集めて吹出口へ導く働きをする部分で、その半径を次第に拡大しながら直線部６０ｄに繋がる。直線部６０ｄは気流を整えて吹出させる働きをする。
【００３８】
シロッコファン６は特性上ファン６ｂの接線方向に気流を送出するので、吹出口の一方端でのど部６０ｂに近いところにある端部６０ｃ近傍では、ファン６ｂと端部６０ｃとを結ぶ接線の方向に気流が送出される。吹出口の他方端で直線部６０ｄに近い端部６０ｅでは、直線部６０ｄと略平行の気流が送出される。
【００３９】
渦巻き部６０ａで集められた気流は、その遠心力のために外側に多く存在するため、ファン６ｂで吸い込まれた空気の多くが渦巻き部６０ａの内壁に沿って移動して直線部６０ｄまで導かれ、吹出口から前方に向けて送出される。このことから判るように、吹出口から送出される気流は、直線部６０ｄが長ければ長いほど、平行で方向性を持った気流となる。
【００４０】
以上説明したようなシロッコファンの特性は、シロッコファン６の吹出口に接続されている送風経路７（７ａ、７ｂ）が吹出口の幅と同じ程度の幅で形成される場合や、ファン６ｂの軸に垂直な面にほんの少し広がっている場合には、吹出口から送出された気流は送風経路の幅一杯に広がって進行するので特に問題はないが、本実施形態のように、シロッコファン６の吹出口の幅に対して送風経路の幅が大きく拡大されているような場合には、うまく送風経路内に広がらずに進行して、気流の片寄りが発生する。
【００４１】
特に、直線部に近い吹出口６０ａの部分では気流が直進してしまうため、紙面の下方向に拡大された送風経路部分には気流が行き渡らないという不都合が生じる。このような状態で、送風経路中にイオン発生装置５を設置する場合、イオン発生部を通過する気流に片寄りがあるために、イオンが効率よく搬送されないことが起こる。特に、極性の異なるイオンを同時に発生させる場合には、両極性のイオンがバランスを崩す原因となってしまう。
【００４２】
本発明はこのような事態に対応するためになされたものであり、本発明に係る第一実施形態のイオン発生機能付き送風装置Ｍ１Ａの気流の流通状態についてさらに説明する。
【００４３】
イオン発生機能付き送風装置Ｍ１Ａは、イオン発生部間を流通する風量を抑制する風向変更装置７ｃを設置して、イオン発生装置のイオン発生部間の空間を無駄に通過する風量を減らすことにより、イオン発生部を直接通る風量を増やす構成としたものである。
【００４４】
風向変更装置７ｃは、イオン発生装置５の風上のイオン発生部間に対応する部位に設置し、底面を多角形形状とする角柱部材（例えば、図に示す三角柱形状）を備えることが望ましい。この構成であれば、イオン発生部間の上流側に角柱部材を設置することにより、イオン発生部間を無駄に流通する風量を抑制して、イオン発生部を直接通る風量を増やすことができる。
【００４５】
また、本実施形態では、三角柱形状の風向変更装置７ｃを用いているが、図６に示すように、断面三角形の底辺の長さＬ１を、イオン発生部間の距離Ｌ２と略同じ長さにしている。また、この底辺部を、気流の流通方向と直交させ、送風経路７ｂの気流流通方向の略中心線上に配置している。
【００４６】
この三角柱形状の風向変更装置７ｃの底面形状は正三角形または二等辺三角形であることを基本とし、この頂点を、シロッコファンの吹出口を拡大する送風経路７ａと拡大された送風経路７ｂとの接続部に位置させるように配置している。
【００４７】
送風経路７ａと送風経路７ｂとの接続部は、イオン発生装置５の本体部５０ａの端面と一致するように配置されており、拡大された送風経路７ｂの幅はイオン発生装置５の本体部５０ａの長さと一致する。
【００４８】
上記したように、本実施形態に係る風向変更装置７ｃは、底面が三角形の三角柱形状であって、底面三角形の頂点を風上側に向け、底面三角形の底辺を風下側に向けて、当該底辺をイオン発生部間に対応した部位に設置している。この構成であれば、底面が三角形の三角形柱状からなる風向変更装置７ｃを介して、イオン発生部間を無駄に流通する風量を効果的に抑制することができる。
【００４９】
すなわち、風向変更装置７ｃの頂点付近から図中の上下に分離される流通流れは、底面三角形の上辺の延長傾斜面７０ａに沿いながら進み、その一部が底辺側に回り込む。また、底面三角形の下辺の延長傾斜面７０ｂに沿いながら進み、その一部が底辺側に回り込む。このような構成とされる実施形態１のイオン発生機能付き送風装置Ｍ１Ａの気流の流通状態は、図５に示す気流Ａ１〜Ａ４のようになる。
【００５０】
気流Ａ１は、シロッコファンの特性によってファン６ｂと端部６０ｃを結ぶ接線方向に送出され、送風経路７ｂの一方の壁（図中の上方の壁）に向かって進行し、壁面に沿ってイオン発生部５２ａの近傍を経由して吹出口２から送出される。
【００５１】
気流Ａ２は、気流Ａ１よりも内側を通過し、風向変更装置７ｃの一端を経由してイオン発生部５２ｂの近傍を通過する。また、気流Ａ３は、シロッコファン６のケーシング６ａの直線部６０ｄと平行に吹出され、風向変更装置７ｃの他端によって風向が変更されて、イオン発生部５１ｂを経由して吹出口２から送出される。
【００５２】
気流Ａ４は、気流Ａ３と平行して直線部６０ｄと平行に吹出され、風向変更装置７ｃの他端によって方向が変更された気流Ａ３によって外側に押し出され、イオン発生部５１ａを経由して吹出口２から送出される。
【００５３】
上記したように、風向変更装置７ｃが気流の方向を変更するとともに分割し、これによって、送風経路７内にシロッコファン６から送出された風が紙面の上下方向に広がり、イオン発生部５１ｂと５２ｂとの間を進行する気流を減少させ、イオン発生部５１ａ、５１ｂ、および、イオン発生部５２ａ、５２ｂ近傍を通過する風量を増加させる。すなわち、送風経路７ｂを図中の上下に分流して、正イオン発生部５１ａ、５２ａおよび負イオン発生部５１ｂ、５２ｂ近傍を通過する風量を増加することにより、イオン発生装置５で発生した正負のイオン効率よく取り込むことが可能になる。
【００５４】
このことから、吹出口２へ流れるイオン濃度が増加し、吹出口２から空間に効率よくイオンを拡散させることが可能になる。すなわち、風向変更装置７ｃは、気流の方向を変更すると同時に不要箇所の気流を減少させ必要箇所の気流を増加させて、イオン発生部を通過する風量を増加させる働きをする。
【００５５】
本実施形態においては、風向変更装置７ｃを底面が正三角形または二等辺三角形であるとしたが、これに限定されるものではない。また同様に、正三角形または二等辺三角形の底辺が、送風経路の気流流通方向の中心線と垂直に交わるとしたが、これにも限定されない。底面を形成する三角形の最も風上となる頂点から見たときに、他の二つの頂点が、イオン発生部５１ｂと５２ｂとの間隔と同じだけ隔たりをもって配置されることで、同様の効果が発揮できる。
【００５６】
従って、底面を形成する三角形の最も風上となる頂点から他の二つの頂点に至る辺の長さが同等でなくても、一方が他方の５０％程度までであれば同じように効果が得られる。また、底面の形状は、四角形や五角形や、他の多角形であっても、一つの頂点を最も風上に設置するとともに、その頂点から見たときに直接隣接する他の二つの頂点が、イオン発生部５１ｂと５２ｂとの間隔と同じだけ隔たりをもって配置される形状であれば同様に使用できる。
【００５７】
次に、図７を用いて風向変更装置７ｃを備えていない比較例について考察する。
【００５８】
図７に示すイオン発生機能付き送風装置Ｍ２は、前述したイオン発生機能付き送風装置Ｍ１Ａと風向変更装置７ｃを備えていない点が異なり、その他の構成は同じであるので、同じ構成部品には同じ部番を付している。
【００５９】
図中に示す気流ａ１は、シロッコファンの特性によってファン６ｂと端部６０ｃを結ぶ接線方向に送出され、送風経路７ｂの一方の壁（図中の上方の壁）に向かって進行し、壁面に沿ってイオン発生部５２ａの近傍を経由して吹出口２から送出される。
【００６０】
気流ａ２は、気流ａ１よりも内側を通過し、気流ａ１の影響を受けて内側に押されてイオン発生部５２ｂの近傍を通過する。気流ａ３は、シロッコファン６のケーシング６ａの直線部６０ｄと平行に吹出され、そのまま直進してイオン発生部５１ｂ近傍を通過する。また、気流ａ４も、ケーシング６ａの直線部６０ｄと平行に吹出され、気流ａ３の外側をそのまま直進してイオン発生部５１ｂ近傍を通過する。
【００６１】
従って、イオン発生部５１ａの近傍は気流がほとんど通過しない状態となっている。このため、イオン発生部５２ａ、５２ｂについては正イオンおよび負イオンが気流によって送出されるのに対して、イオン発生部５１ａ、５１ｂについては、イオン発生部５１ｂが発生した負イオンのみが気流によって送出され、イオン発生部５１ａで発生した正イオンはほとんど送出されないことになる。すなわち、イオン発生機能付き送風装置Ｍ２全体として見た場合に、正イオンと負イオンのバランスが崩れた状態で作動するという結果が生じる。
【００６２】
次に、図８を用いて第二実施形態のイオン発生機能付き送風装置Ｍ１Ｂについて説明する。
【００６３】
この第二実施形態のイオン発生機能付き送風装置Ｍ１Ｂは、送風機から片寄りを持って送出される気流を送風経路内に均等に拡大するものではなく、気流を必要とする複数箇所に分配することによって必要箇所の気流を増加し、結果としてイオン発生装置５で発生したイオンを効率よく気流で搬送する構成としたものである。
【００６４】
そのために、この第二実施形態のイオン発生機能付き送風装置Ｍ１Ｂは、風向変更装置７０ｃを複数（例えば、７０ｃ（１）と７０ｃ（２）と７０ｃ（３）の３個）備えた構成である。その他の構成は先に説明した第一実施形態のイオン発生機能付き送風装置Ｍ１Ａと同等であるので同一の符号を付してここでは詳述しない。
【００６５】
このイオン発生機能付き送風装置Ｍ１Ｂが備える、風向変更装置７０ｃ（１）、７０ｃ（２）、７０ｃ（３）は、その底辺の長さがＬ３の２等辺三角形とされる。この長さＬ３は、前述したＬ１の１／２である。また、２等辺三角形の他の２辺の長さはＬ１とし、底辺から頂点までの高さはＬ４とした。
【００６６】
風向変更装置７０ｃ（１）は、イオン発生部５２ａ、５２ｂの間に配置され、風向変更装置７０ｃ（２）は、イオン発生部５２ｂ、５１ｂの間に配置され、風向変更装置７０ｃ（３）は、イオン発生部５１ｂ、５１ａの間に配置されている。また、それぞれ２等辺三角形状の頂点を風上側に向けた姿勢で配置されており、真ん中に位置する風向変更装置７０ｃ（２）が、最も風上側に配置（長さＬ４分）されている。すなわち、風向変更装置７０ｃ（２）は、３個の風向変更装置の中で真ん中であり且つ最も風上にあるので、主風向変更装置７０ｃ（２）と称する。
【００６７】
次に、このように構成されたイオン発生機能付き送風装置Ｍ１Ｂの気流状態について説明する。
【００６８】
図中に示す気流Ａ１０は、シロッコファン６の特性によってファン６ｂと端部６０ｃを結ぶ接線方向に送出され、送風経路７ａから送風経路７ｂの一方の壁（図の上方にある壁）に向かって進行し、壁面に沿ってイオン発生部５２ａの近傍を経由して吹出口２から送出される。
【００６９】
この際に、イオン発生部５２ａと５２ｂとの気流の中心線上に、風上方向に頂点を有する風向変更装置７０ｃ（１）が存在しているので、イオン発生部５２ａと５２ｂとの間の空間を通過する気流が減少するとともに、イオン発生部５２ａと５２ｂを直接経由する気流が増加する。
【００７０】
同様に気流Ａ２０は気流Ａ１０と略平行に送出され、気流Ａ１０よりも内側を通過し主風向変更装置７０ｃ（２）の一端を経由して風向変更装置７０ｃ（１）との間を通過してイオン発生部５２ｂを通過する。さらに気流Ａ３０はシロッコファン６のケーシング６ａの直線部６０ｄと平行に吹出され、主風向変更装置７０ｃ（２）の他端によって風向が変更されて風向変更装置７０ｃ（３）との間を通過してイオン発生部５１ｂを経由して吹出口２から送出される。
【００７１】
気流Ａ４０は気流Ａ３０と平行して直線部６０ｄと平行に吹出され、主風向変更装置７０ｃ（２）の他端によって風向が変更された気流Ａ３０によって外側に押し出され、さらに風向変更装置７０ｃ（３）によって風向変更されてイオン発生部５１ａを経由して吹出口２から送出される。
【００７２】
すなわち、風向変更装置７０ｃ（３）が気流４０を風向変更するとともに分割し、一部の気流はイオン発生部５１ｂを通過する。これによって、送風経路７内に送風ファン（シロッコファン６）から送出された風が、風向変更装置によりファン６ｂの軸と垂直な面（図の面に平行な上下方向）に広がり、イオン発生部５２ａと５２ｂの間の空間、イオン発生部５１ｂと５２ｂの間の空間およびイオン発生部５１ａと５１ｂの間の空間では気流が減少して、イオン発生装置５の正イオン発生部５１ａ、５２ａおよび負イオン発生部５１ｂ、５２ｂ近傍を直接通過する風量が増加することから、イオン発生装置５で発生した正負のイオンを効率よく気流中に取り込むことが可能になる。このことから、吹出口２へ流れるイオン濃度が増加し、吹出口２から空間に効率よくイオンを拡散させることが可能となる。
【００７３】
主風向変更装置７０ｃ（２）の下流側に配置している風向変更装置７０ｃ（１）と風向変更装置７０ｃ（３）を、主風向変更装置７０ｃ（２）と同じ位置に配置すると、気流Ａ４０が直進してうまく分割できない。気流Ａ４０を良好に分割するためには、主風向変更装置７０ｃ（２）と従風向変更装置７０ｃ（１）、７０ｃ（３）の位置は、その長さＬ４の半分以上離れていることが好ましく、送風経路７ｂの長さ以下すなわち拡幅された送風経路７ｂ内に納まることが好ましい。
【００７４】
すなわち、複数の角柱部材（風向変更装置）は、流通方向の前後に互い違いに設置しておくことが好ましい。この構成であれば、角柱部材（風向変更装置）を互い違いに設置することにより、送風経路を流通する空気流れの抵抗を極力抑制して、所定の風量を確保することが可能となる。
【００７５】
次に、図９および図１０を用いて第三実施形態のイオン発生機能付き送風装置Ｍ１Ｃについて説明する。
【００７６】
この第三実施形態のイオン発生機能付き送風装置Ｍ１Ｃは前述した第一実施形態のイオン発生機能付き送風装置Ｍ１Ａと比較して、送風ファンをシロッコファンからプロペラファンＰに置き換えたものである。その他の構成は同じであるので、相違点を中心に説明する。
【００７７】
プロペラファンＰは、ケース４の吸込口１に対応する位置に配置され、図１０に示すように、送風装置Ｍ１Ｃの正面側から空気を取り込み（空気流れＦＬ１）背面側に設けられた送風経路７ａ´、７ｂを経由して、正面側に設けられた吹出口２から空気流れＦＬ２として送出される。
【００７８】
また、プロペラファンＰの下部背面側には送風経路７ｄが形成されており、拡大送風経路７ａ´に接続される。気流は、プロペラファンＰに吸い込まれて送風経路７ｄに排出され拡大送風経路７ａ´に送られる。気流は拡大しながら送風経路７ｂに進行しイオン発生装置５に至る。送風経路７ｂにはイオン発生装置５がイオン発生部５１ａ、５１ｂ、５２ａ、５２ｂを気流流通方向と交差する方向に配置されており、気流によって発生したイオンが吹出口２を経て機外へと送出される。
【００７９】
風向変更装置７ｃは、拡大送風経路７ａ´と送風経路７ｂとの接続部に底面の一頂点を位置させる三角柱であって、送風経路７ｂの気流流通方向の中心線上に配置されている。すなわち、前述した第一実施形態のイオン発生機能付き送風装置Ｍ１Ａに用いた底面が正三角形の風向変更装置７ｃであり、その底辺長さは、図６で示したように、イオン発生部５１ｂとイオン発生部５２ｂとの間の間隔Ｌ２と同じ長さＬ１に設定されている。
【００８０】
このような設定における気流流れについて、図１１を用いて説明する。
【００８１】
図中に示す気流ａ２０は、送風経路７´の中心線付近（中心領域）を流れる気流であって、拡大送風経路７ａ´から送風経路７ｂに進行する途中で風向変更装置７ｃの一方の端によって中心領域から外側に押し出されてイオン発生部５２ｂ近傍を経由して吹出口２から送出される。
【００８２】
気流ａ２０の外側を流通する気流ａ１０は、送風経路７ｂの図上側の壁面と気流ａ２０との間を流通し、イオン発生部５２ａを経由して吹出口２から送出される。同様に、送風経路７´の中心線付近（中心領域）を流れる気流ａ３０は、拡大送風経路７ａ´から送風経路７ｂに進行する途中で風向変更装置７ｃの他方の端によって中心領域から外側に押し出されてイオン発生部５１ｂ近傍を経由して吹出口２から送出される。気流ａ３０の外側を流通する気流ａ４０は、送風経路７ｂの図下側の壁面と気流ａ３０との間を流通し、イオン発生部５１ａを経由して吹出口２から送出される。
【００８３】
上記したように、第三実施形態のイオン発生機能付き送風装置Ｍ１Ｃでも、イオン発生部５１ｂとイオン発生部５２ｂとの間の空間を通過する気流を減少させて、これらのイオン発生部５１ｂと５２ｂ近傍を通過する気流を増加させることができる。
【００８４】
すなわち、本実施形態によっても、イオン発生機能付き送風装置の吹出口から送出されるイオン濃度が高くなり、空間に効率よく正負のイオンを拡散させることができる。
【００８５】
以上、本発明の具体的な実施の形態について説明したが、本発明はこれらの実施形態に限定されるものではなく、この発明の範囲内で種々変更して実施することができる。
【００８６】
上記したように、本発明に係るイオン発生機能付き送風装置Ｍ１（Ｍ１Ａ、Ｍ１Ｂ、Ｍ１Ｃ）よれば、送風経路に風向変更装置７ｃ、７０ｃを設置して後方に設置したイオン発生装置５のイオン発生部間の空間を無駄に通過する風量を減らすことによって、イオン発生部５１ａ、５１ｂ、５２ａ、５２ｂを直接通る風量を増やすことができ、発生したイオンを効率よく取り込むことが可能になる。そのために、イオン発生機能付き送風装置の吹出口２から送出されるイオン濃度が高くなり、空間に効率よくイオンを拡散させることができる。
【００８７】
また、イオン発生装置が、正イオンと負イオンとを同時に生成するイオン発生装置であれば、正イオン発生部と負イオン発生部とを流通方向と直交する方向に所定距離離間させると共に、この間の空間を無駄に通過する風量を減らすことで、正イオンと負イオンの両方のイオンの生成直後の衝突を抑制しながら安定して供給することができる。すなわち、正イオンと負イオンとを高濃度に含有した送風流れを生成して効率よく流通させることができる。
【００８８】
このように、本発明に係るイオン発生機能付き送風装置Ｍ１（Ｍ１Ａ、Ｍ１Ｂ、Ｍ１Ｃ）は、吹出口から送出される正負のイオン濃度が高くなり、空間に効率よく正負のイオンを拡散させることができて、浮遊カビ菌や細菌の殺菌、ウィルスやアレルゲンの不活性化、空間や物品の除電効果を得ることができる。
【産業上の利用可能性】
【００８９】
そのために、本発明に係るイオン発生機能付き送風装置は、細菌などの殺菌、ウィルスやアレルゲンなどの不活性化、空間や物品の除電効果などが求められる空間や室内の送風装置に好適に利用可能となる。
【符号の説明】
【００９０】
１    吸込口
２    吹出口
４    ケース
５    イオン発生装置
５１ａ、５２ａ    正イオン発生部
５１ｂ、５２ｂ    負イオン発生部
６    シロッコファン（送風ファン）
７、７ａ、７ｂ    送風経路
７ｃ、７０ｃ  風向変更装置
８    背面カバー
Ｍ１、Ｍ１Ａ〜Ｍ１Ｃ    イオン発生機能付き送風装置
ＦＬ１、ＦＬ２  流通流れ
【図１】
0005809009.tif 000002
【図２】
0005809009.tif 000003
【図３】
0005809009.tif 000004
【図４】
0005809009.tif 000005
【図５】
0005809009.tif 000006
【図６】
0005809009.tif 000007
【図７】
0005809009.tif 000008
【図８】
0005809009.tif 000009
【図９】
0005809009.tif 000010
【図１０】
0005809009.tif 000011
【図１１】
0005809009.tif 000012